(57)【要約】【課題】ステム部材の中に直流モータと振動シャフトが納められた電動歯ブラシの提供を目的とする。【解決手段】電動歯ブラシは、ステム部材を有し、そこにブラシ部が着脱可能になっている。ステム部材は合成樹脂で構成され、直流モータと、直流モータに連結される振動シャフトを納める中空部を有する。中空部の一端は開かれておりそこから直流モータと振動シャフトが挿入され、中空部の他端は閉じられている。振動シャフトの自由端は中空部の他端において回転可能に保持されている。中空部は円錐形の内壁を有し、直流モータのショルダー部と円錐形の内壁とが圧着することにより、直流モータが中空部内に強固に保持される。【選択図】図２Ｃ
2016154753.tif 000002
【特許請求の範囲】
【請求項１】
電池（４４）および電気回路基板（５０）を収納するための円筒状の中空が形成され、第１端と第２端を有する長手の本体部材（１０）；
開口端と閉端を有する長手中空部（８６）が形成されたステム部材（８３）、ここでステム部材の開口端は、本体部材（１０）の第１端と連結されると共に、長手中空部には、開口端から閉端方向に延びる円錐形の内壁（８８）であって、開口端側が広く、開口端と閉端との中間点に向かって徐々に狭くなる円錐形の内壁（８８）が形成され、またここで長手中空部の閉端側に、長手中空部の軸と同軸の穴部（８７）が形成されている；
長手中空部（８６）の開口端から挿入された直流モータ（６０）であって、直流モータ（６０）のショルダー部及び／又は直流モータ（６０）の側面と、円錐形の内壁（８８）との圧着により長手中空部内に強固に保持された直流モータ（６０）；及び
一方の端部に直流モータ（６０）が連結されると共に、他方の端部に、穴部（８７）に回転可能に保持されるシャフト部分（７８）が形成された振動シャフト（７０）であって、重心点（Ｇ）が直流モータの軸方向からそれた位置にある偏心軸（７３）を有する振動シャフト（７０）
を有し、偏心軸（７３）の重心点（Ｇ）とシャフト部分（７８）との間の第１距離（Ｄ１）が、直流モータ（６０）のショルダー部と重心点（Ｇ）との間の第２距離（Ｄ２）より小さいことを特徴とする、電動歯ブラシ。
【請求項２】
前記振動シャフト（７０）は、同じ軸上に列んだ延長シャフト（７２）と偏心軸（７３）とを含み、延長シャフトが直流モータと偏心軸（７３）との間に位置することを特徴とする、請求項１に記載の電動歯ブラシ。
【請求項３】
前記円錐形の内壁（８８）は、直流モータ全体を取り囲む壁で構成されたことを特徴とする、請求項１に記載の電動歯ブラシ。
【請求項４】
前記円錐形の内壁（８８）は、直流モータを断続的に取り囲む断片壁を構成する複数のリブで構成されたことを特徴とする、請求項１に記載の電動歯ブラシ。
【請求項５】
前記本体部材（１０）の上位部分は、その下位部分に対し曲げられていることを特徴とする、請求項１に記載の電動歯ブラシ。
【請求項６】
前記長手中空部（８６）は、円錐形の内壁（８８）の狭端部において係止角（８９）を有することを特徴とする、請求項１に記載の電動歯ブラシ。
【請求項７】
前記長手の本体部材（１０）の第１端と直流モータのショルダー部との間の第３距離（Ｄ３）は、前記第２距離（Ｄ２）より小さいことを特徴とする、請求項１に記載の電動歯ブラシ。
【請求項８】
前記円錐形の内壁（８８）は、開口端側から閉端側に向かって湾曲していることを特徴とする、請求項１に記載の電動歯ブラシ。
【請求項９】
前記円錐形の内壁（８８）は、直立した壁部（８８ａ）と傾斜した壁部（８８ｂ）を有することを特徴とする、請求項１に記載の電動歯ブラシ。
【請求項１０】
前記直流モータ（６０）は、円柱状ボディを有することを特徴とする、請求項１に記載の電動歯ブラシ。
【請求項１１】
前記直流モータ（６０）は、円錐形ボディを有することを特徴とする、請求項１に記載の電動歯ブラシ。
【請求項１２】
前記長手中空部（８６）は、円柱状であることを特徴とする、請求項１に記載の電動歯ブラシ。
【請求項１３】
前記ステム部材（８３）は、合成樹脂で構成されていることを特徴とする、請求項１に記載の電動歯ブラシ。
【請求項１４】
前記ステム部材（８３）には、代替可能な歯ブラシ部が着脱可能に取り付けられることを特徴とする、請求項１に記載の電動歯ブラシ。
【請求項１５】
電池（４４）および電気回路基板（５０）を収納するための円筒状の中空が形成され、第１端と第２端を有する長手の本体部材（１０）；
代替可能な歯ブラシ部が着脱可能に取り付けられるステム部材（８３）であって、開口端と閉端を有する長手中空部（８６）が形成されたステム部材（８３）、ここでステム部材の開口端は、本体部材（１０）の第１端と連結されると共に、長手中空部には、開口端から閉端方向に延び、少なくとも一部分がテーパー状の内壁（８８）が形成される、またここで長手中空部の閉端側に穴部（８７）が形成されている；
一方の端部に、シャフト部分（７８）が形成され、重心点（Ｇ）を有する偏心軸（７３）を含む振動シャフト（７０）、ここでシャフト部分（７８）は第１コンタクトポイント（ＣＰ１）において穴部（８７）に回転可能に保持される；及び
長手中空部（８６）内に少なくとも部分的に収納された直流モータ（６０）であって、振動シャフト（７０）のシャフト部分（７８）とは反対側の他方の端部に接続された直流モータ（６０）、ここで直流モータのショルダー部及び／又は直流モータ（６０）の側面と、長手中空部（８６）の内壁（８８）とが第２コンタクトポイント（ＣＰ２）において接触する、またここで、偏心軸（７３）の重心点（Ｇ）は、直流モータの軸方向からずれた位置にある、
を有し、偏心軸（７３）の重心点（Ｇ）と第１コンタクトポイント（ＣＰ１）との間の第１距離（Ｄ１）が、直流モータ（６０）の重心点（Ｇ）と第２コンタクトポイント（ＣＰ２）との間の第２距離（Ｄ２）より小さいことを特徴とする、電動歯ブラシ。
【発明の詳細な説明】
【技術分野】
【０００１】
この発明は電動歯ブラシの構造に関し、より詳しくはステム内にモータが設けられた電動歯ブラシに関する。
【背景技術】
【０００２】
市場の電動歯ブラシは多くの構成部品を有し、例えば、次のような部品が存在する。バッテリーと電気回路基板を保持するためのボディ、直流モータ、直流モータに接続された偏心軸、並びに直流モータおよび偏心軸を保持するためのステム等である。
【０００３】
米国特許６，９２０，６５９号明細書（発行日：２００５年７月２６日、発明者：Ｃａｃｋａ等）には、直流モータ及び偏心軸が電動歯ブラシのステム内に保持された構成が記載されている。
【０００４】
この従来の電動歯ブラシによれば、直流モータの回転パワーを効果的に偏心軸に伝えるために、直流モータと偏心軸は互いに接近した位置に配置されている。さらに、歯ブラシの毛の部分に偏心軸の振動を効果的に伝えるために、偏心軸は歯ブラシの毛の位置に接近して配置されている。直流モータはステムの上端側から、ステム内に設けたモータ設置用の凹部へ挿入される。モータ設置用の凹部内には、係止用突起が設けられ、直流モータがステムの上側から圧入されて固定される。さらに、偏心軸の振動は、モータとステムを介して歯ブラシの毛に伝えられる構造になっている。
【先行技術文献】
【特許文献】
【０００５】
【特許文献１】米国特許６，９２０，６５９号明細書
【発明の概要】
【発明が解決しようとする課題】
【０００６】
先行技術に基づく電動歯ブラシは次に説明するような問題を有する。
（Ａ）  ステムは、通常、合成樹脂によって形成される。係止用突起がモータ設置用の凹部内にピン状に突出して設けられるので、一回の射出成形によってモータ設置用の凹部を形成するのは難しい。
（Ｂ）  偏心軸の振動は、ステムに直接伝わるのでは無く、モータを通して伝わるため、振動パワーは低減する。又、不要な雑音が発生する。
（Ｃ）  モータが毛の部分の近傍に設けられているので、モータのサイズは小規模に限定され、振動パワーも制限される。又、モータの位置が制限されているので、歯ブラシの重量バランスの調節が難しい。
【課題を解決するための手段】
【０００７】
この発明の好ましい実施形態によれば、電動歯ブラシは、電池および電気回路基板を収納するための円筒状の中空が形成され、第１端と第２端を有する長手の本体部材；  開口端と閉端を有する長手中空部が形成されたステム部材、ここでステム部材の開口端は、本体部材の第１端と連結されると共に、長手中空部には、開口端から閉端方向に延びる円錐形の内壁であって、開口端側が広く、開口端と閉端との中間点に向かって徐々に狭くなる円錐形の内壁が形成され、またここで長手中空部の閉端側に、長手中空部の軸と同軸の穴部が形成されている；  長手中空部の開口端から挿入された直流モータであって、直流モータのショルダー部及び／又は直流モータの側面と、円錐形の内壁との圧着により長手中空部内に強固に保持された直流モータ；及び  一方の端部に直流モータが連結されると共に、他方の端部に、穴部に回転可能に保持されるシャフト部分が形成された振動シャフトであって、重心点が直流モータの軸方向からそれた位置にある偏心軸を有する振動シャフト、を有し、偏心軸の重心点とシャフト部分との間の第１距離が、直流モータのショルダー部と重心点との間の第２距離より小さいことを特徴とする。
【０００８】
この発明の好ましい実施形態によれば、前記振動シャフトは、同じ軸上に列んだ延長シャフトと偏心軸とを含み、延長シャフトが直流モータと偏心軸との間に位置することを特徴とする。
【０００９】
この発明の好ましい実施形態によれば、前記円錐形の内壁は、直流モータ全体を取り囲む壁で構成されたことを特徴とする。
【００１０】
この発明の好ましい実施形態によれば、前記円錐形の内壁は、直流モータを断続的に取り囲む断片壁を構成する複数のリブで構成されたことを特徴とする。
【００１１】
この発明の好ましい実施形態によれば、前記本体部材の上位部分は、その下位部分に対し曲げられていることを特徴とする。
【００１２】
この発明の好ましい実施形態によれば、前記長手中空部は、円錐形の内壁の狭端部において係止角を有することを特徴とする。
【００１３】
この発明の好ましい実施形態によれば、前記長手の本体部材の第１端と直流モータのショルダー部との間の第３距離は、前記第２距離より小さいことを特徴とする。
【００１４】
この発明の好ましい実施形態によれば、前記円錐形の内壁は、開口端側から閉端側に向かって湾曲していることを特徴とする。
【００１５】
この発明の好ましい実施形態によれば、前記円錐形の内壁は、直立した壁部と傾斜した壁部を有することを特徴とする。
【００１６】
この発明の好ましい実施形態によれば、前記長手中空部は、円柱状であることを特徴とする。
【００１７】
この発明の好ましい実施形態によれば、前記ステム部材は、合成樹脂で構成されていることを特徴とする。
【００１８】
この発明の好ましい実施形態によれば、前記ステム部材には、代替可能な歯ブラシ部が着脱可能に取り付けられることを特徴とする。
【００１９】
この発明の好ましい実施形態によれば、電動歯ブラシは、電池および電気回路基板を収納するための円筒状の中空が形成され、第１端と第２端を有する長手の本体部材；  代替可能な歯ブラシ部が着脱可能に取り付けられるステム部材であって、開口端と閉端を有する長手中空部が形成されたステム部材、ここでステム部材の開口端は、本体部材の第１端と連結されると共に、長手中空部には、開口端から閉端方向に延び、少なくとも一部分がテーパー状の内壁が形成される、またここで長手中空部の閉端側に穴部が形成されている；  一方の端部に、シャフト部分が形成され、重心点を有する偏心軸を含む振動シャフト、ここでシャフト部分は第１コンタクトポイントにおいて穴部に回転可能に保持される；及び  長手中空部内に少なくとも部分的に収納された直流モータであって、振動シャフトのシャフト部分とは反対側の他方の端部に接続された直流モータ、ここで直流モータのショルダー部及び／又は直流モータの側面と、長手中空部の内壁とが第２コンタクトポイントにおいて接触する、またここで、偏心軸の重心点は、直流モータの軸方向からずれた位置にある、を有し、偏心軸の重心点と第１コンタクトポイントとの間の第１距離が、直流モータの重心点と第２コンタクトポイントとの間の第２距離より小さいことを特徴とする。
【図面の簡単な説明】
【００２０】
【図１】この発明の好ましい実施形態による電動歯ブラシの斜視図である。
【図２Ａ】図１に示された電動歯ブラシの分解図である。
【図２Ｂ】図２Ａにおいて示された振動シャフトの斜視図である。
【図２Ｃ】振動シャフトと直流モータが挿入されたステム部材の断面図である。
【図２Ｄ】図２Ｃにおいて示される部分２Ｄを拡大した拡大断面図である。
【図３Ａ】図２Ｄに類似した図であるが、特にステム部材内に形成された円錐形の壁の第１の変形例を示した図である。
【図３Ｂ】図３Ａにおいて示されたステム部材を下から見た側面図である。
【図３Ｃ】ステム部材内に形成された円錐形の壁の第２の変形例を示す拡大図である。
【図３Ｄ】ステム部材内に形成された円錐形の壁の第３の変形例を示す拡大図である。
【図４】図２Ｃに類似した図であるが、特に長手部材の変形例を示した断面図である。
【発明を実施するための形態】
【００２１】
図１は、この発明の好ましい実施形態による電動歯ブラシ１を示す。
【００２２】
図２Ａは、電動歯ブラシ１の分解図であり、電動歯ブラシ１は、長手の本体部材１０、シャシー２０、充電式電池４４、長手の回路基板５０、円柱状の直流モータ６０、振動シャフト７０およびステム構造部８０を有する。代替可能な歯ブラシ部（図示せず）は、ステム構造部８０を完全にあるいは部分的にカバーする様に、ステム構造部８０に取り付けられる。
【００２３】
本体部分１０は、ユーザーによって握られるか、把持される為の部分で有り、その下端に形成した凹部１１は、電池の充電器に設けた突起を受け入れるためのものである。本体部分１０の内側は、円筒状の中空が形成されており、その中にシャシー２０、充電式電池４４、回路基板５０等が納められる。
【００２４】
ステム構造部８０は、下側支持部材８１、パッキングリング８２、ステム部材８３、上側支持部材８４およびトップリング８５を有する。ステム部材８３は、振動シャフト７０および直流モータ６０を受け入れるための長手中空部８６を有する。
【００２５】
図２Ｂにおいて、振動シャフト７０は、合成樹脂で構成される延長シャフト７２、および金属で構成される偏心軸７３を含む。延長シャフト７２は、例えばポリプラスチックス株式会社によって製造されたＰＯＭ（ポリオキシメチレンと呼ばれる材料）によって一体形成される。材料ＰＯＭのグレードはＮＷ−０２のものが好適であるが、他のグレード、例えばＭ９０−４４であっても使用可能である。
【００２６】
図２Ｂにおいて示されるように、振動シャフト７０の延長シャフト７２は、下端近傍に設けられたカラー部分７４、弾力性を有するシャフト部分７５、および連結部分７６を含み、それらはＰＯＭによって一体形成される。延長シャフト７２の下端面には、直流モータ６０のシャフトと連結される凹部が形成されている。直流モータ６０は、その下側面から２本のワイヤー６２ａおよび６２ｂが延在し、回路基板５０と電気的接続が成される。
【００２７】
振動シャフト７０の偏心軸７３は、偏心部分７７とシャフト部分７８を含む。偏心部分７７の下端は、成型により連結部分７６と固着され、偏心部分７７の上端はシャフト部分７８が設けられている。
【００２８】
振動シャフト７０が直流モータ６０によって回転されると、偏心部分７７は高周波振動を発生し、その振動は、ステム構造部８０およびブラシ（図示せず）に伝えられる。弾力性のあるシャフト部分７５は、偏心部分７７の高周波振動を受け付ける柔軟性を有する。
【００２９】
図２Ｃに示すステム部材８３もＰＯＭによって形成される。穴部８７は、長手中空部８６の先端に形成される。穴部８７にはシャフト部分７８が回転可能に挿入される。長手中空部８６内には振動シャフト７０および直流モータ６０が収納される。振動シャフト７０は、長手中空部８６内において自由に回転する。穴部８７は、シャフト部分７８を自由に回転保持するためのベアリングとして機能する。振動シャフト７０は、高周波振動を受けつつ長手中空部８６の内部で自由に回転する。
【００３０】
穴部８７がベアリングとして機能するので、シャフト部分７８を回転自在に保持するためのベアリング部材を別途設ける必要はない。
【００３１】
図２Ｃにおいて示された部分２Ｄは、図２Ｄにおいて拡大されて示されている。
【００３２】
図２Ｄには、ステム部材８３の下側の部分の詳細が示されている。ステム部材８３の下端において長手中空部８６は開口している。直流モータ６０から延びる２本のワイヤー６２ａおよび６２ｂは、長手中空部の開口端を通り、更にシャシー２０に形成された開口部を通り、図２Ｃに示されるように、回路基板５０に形成された、電極５２ａおよび５２ｂに接続される。
【００３３】
図２Ｄに示すように、長手中空部８６は、円錐形の内壁８８を有し、その円錐形の内壁８８の終端部に係止角８９を有する。円錐形の内壁８８は長手中空部８６の開口端で最も広く、奥方向に狭くなっている。つまり、長手中空部の中間点である係止角８９がある位置までテーパー状に狭くなっている。円錐形の内壁８８の内径は、係止角８９の位置では、直流モータ６０の外径と大略同じか、わずかに小さい値を有する。また、円錐形の内壁８８の内径は、長手中空部８６の開口している位置では、直流モータ６０の外径の１０５％から１４５％の間にあり、例えば、一例として１３２％の値を有する。円錐形の内壁８８は、直流モータのまわり一周を覆うように形成されている。また、円錐形の壁は係止角８９から開口端まで直線状に延びている。変形例として、円錐形の内壁８８は、長手中空部８６の内径が階段状に広げられるステップ部分あるいは傾斜したステップ部分９０を有してもよい。
【００３４】
直流モータ６０と振動シャフト７０とは、共に開口端から長手中空部８６に挿入され、直流モータ６０の上側の端面（つまりショルダー部）が円錐形の内壁８８の狭端側に嵌合される。すなわち、直流モータ６０は、直流モータ６０のショルダー部及び／又は直流モータ６０の表面（例えば上側表面）が円錐形の内壁と圧着するように圧入される。直流モータ６０の上側面は係止角８９に接してもよい。必要に応じて、ショルダー部と円錐形の内壁との間、あるいは直流モータ６０の上側面と係止角８９との間に接着剤を付与しても良い。直流モータ６０のショルダー部及び／又は直流モータ６０の側面が、円錐形の内壁８８に密着して強固に保持されれば、シャフト部分７８は回転可能に穴部８７に挿入される。上述から明らかな様に、穴部８７の軸と円錐形の内壁８８の軸とは同じ軸方向にある。
【００３５】
図２Ｃに示されるように、直流モータ６０および振動シャフト７０によって構成される振動発生機は、ステム部材８３の内部に納められ、直流モータ６０の軸方向と振動シャフト７０の軸方向は、同じ軸方向にある。また、振動発生機は、２つのコンタクトポイントＣＰ１、ＣＰ２において長手中空部８６内に保持され、位置決めされる。コンタクトポイントＣＰ１は、シャフト部分７８に沿ったいずれかのポイント、すなわち、シャフト部分７８が穴部８７と接触するいずれかのポイントであり、コンタクトポイントＣＰ２は直流モータ６０のショルダー部が円錐形の内壁８８と接触するポイントである。
【００３６】
コンタクトポイントＣＰ１と偏心軸７３の重心点Ｇとの間の距離Ｄ１は、コンタクトポイントＣＰ２と偏心軸７３の重心点Ｇとの間の距離Ｄ２より小さい（Ｄ１＜Ｄ２）。この構成により、偏心軸７３の位置は、コンタクトポイントＣＰ１に比較的近づけることができる、つまり、偏心軸７３の位置を、歯ブラシの毛がある位置に近づけることができる。このように、偏心軸７３によって生成された振動は、シャフト部分７８および穴部８７を介して、歯ブラシの毛に効果的に伝えることができる。好ましい実施形態によれば、距離Ｄ２は１０ｍｍ以上であり、例えば２１．３ｍｍである。更に、直流モータ６０は、ステム部材８３の下側、つまりステム部材８３の全長の中央点より下側（歯ブラシの毛から遠方側）にある。この配置により、振動発生機が設けられたステム部材８３に適切なウェイト・バランスを与えることができ、結局、電動歯ブラシ１に適切なウェイト・バランスを与えることができる。さらに、この配置により、ステム部材８３の全長の中央点より上側に直流モータを配置した場合と比べ、より大きなサイズの直流モータ６０を選択できる自由が与えられる。偏心軸７３と直流モータ６０との間の距離を充分に取るため、延長シャフト７２が設けられる。ある変形例では、延長シャフト７２を使用せず、直流モータ６０を偏心軸７３に直接接続することも可能である。
【００３７】
更に、長手中空部８６は開口端で最も広く、係止角８９に向かって徐々に狭くなり、係止角８９で直径は狭くなり、更にその奥は一定の幅を維持するか、穴部８７に達するまで更に狭くなっている。このように、長手中空部８６が奥に行くほど狭くなっている構造を持ったステム部材８３は、単一の射出成形によって容易に形成することができる。
【００３８】
更に、直流モータ６０は、ねじを一切使用せず、単一の圧入により圧着保持することができる。したがって、振動発生機が内装されたステム部材８３の組立は簡単で、非常に容易に作ることができる。
【００３９】
図２Ａを再び参照すれば、シャシー２０に充電式電池４４および回路基板５０を設置した後、２本のワイヤー６２ａ、６２ｂの先端は、回路基板５０の電極５２ａ、５２ｂにそれぞれ接続される。この後、電池４４および回路基板５０を保持するシャシー２０は、本体部分１０に挿入される。挿入の際に、図２Ｃに示されるように、ステム部材８３も、下側支持部材８１、パッキングリング８２、上側支持部材８４およびトップリング８５と共に本体部分１０に部分的に挿入される。したがって、ステム部材８３および本体部分１０は、防水効果を発揮しつつ一体的に保持される。
【００４０】
ステム部材８３および本体部分１０を一体構成することができる。この場合、凹部１１が形成された本体部分１０の下端に開口が形成されていれば、振動シャフト７０、直流モータ６０、および電池４４と回路基板５０が取り付けられたシャシー２０の組立部品の挿入を可能となる。組立部品が下端の開口から挿入された後、下端の開口はキャップ部材によって密封状態に閉じられる。
【００４１】
図２Ｄにおいて、本体部分１０とステム部材８３との間の接続点であって、最も上側にある点はコンタクトポイントＣＰ３である。言いかえれば、コンタクトポイントＣＰ３は長手部材１０の上方端の位置に相当する。好ましい実施形態によれば、コンタクトポイントＣＰ３は、直流モータ６０を横切るレベルに存在する。言いかえれば、直流モータ６０の長さは、コンタクトポイントＣＰ２とＣＰ３の間の距離Ｄ３より長い。別の実施形態では、直流モータ６０の長さをコンタクトポイントＣＰ２とＣＰ３の間の距離より短くすることも可能である。更に、図２Ｃから明白なように、Ｄ３はＤ２より小さく設計しても良い（Ｄ３＜Ｄ２）。この様な構成にすることにより、ステム部材８３に適切な振動を発生させることができる。
【００４２】
図３Ａおよび３Ｂにおいて、円錐形の内壁の第１の変形例が示される。円錐形の内壁には、複数の、例えば４本のリブ９２ａ、９２ｂ、９２ｃおよび９２ｄが、係止角８９から長手中空部８６の開口端に至るまでの長手中空部８６内に、互いに平行に存在する。４本のリブ９２ａ、９２ｂ、９２ｃおよび９２ｄは、長手中空部８６の開口端において、周囲に沿って互いに等間隔で存在する。図３Ｂにおいて示されるように、４本のリブの自由端面は、直流モータの周辺を断続的に囲む断片壁を構成する。
【００４３】
リブの本数は２本か、それ以上であっても良い。さらに、リブの長さは係止角８９から中間の位置、すなわち係止角８９と長手中空部８６の開口端の中間点、一例として傾斜したステップ部分９０（図２Ｄを参照）の位置、まで延びていても良い。
【００４４】
図３Ｃにおいて、円錐形の内壁の第２の変形例が示される。円錐形の内壁８８は、直立した壁部（８８ａ）および傾斜した壁部８８ｂによって形成される。直立した壁部８８ａでは、壁の内径は一定であり、直流モータ６０の直径とほとんど等しい。傾斜した壁部８８ｂでは、壁の内径は、長手中空部８６の直立した壁部８８ａの端部から開口端に向かって増加する。
【００４５】
図３Ｄにおいて、円錐形の内壁の第３の変形例が示される。円錐形の内壁８８ｃは、開口端側から閉端側に向かって湾曲している。好ましくは、湾曲率は開口端側に向かうほど大きくなる。
【００４６】
図４において、本体部分１０の変形例が示され、その特徴は本体部分１０の首部分で曲がっている点である。本体部分１０は、下位部分に対して曲げられた上位部分を有する。したがって、本体部分１０の上位部分の軸Ａ１は、その下位部分の軸Ａ２に対し傾いている。この構造においても、直流モータは、本体部分１０ではなく、ステム部材８３に位置するので、直流モータと偏心軸７３の間において、湾曲可能なフレキシブルシャフトを設ける必要がない。したがって、本体部分１０の設計の自由度が増す。
【００４７】
更に、この発明のある実施形態によれば、直流モータ６０の外形を円柱状ボディではなく、円錐形ボディに構成し、円錐形ボディの広い側を長手中空部８６の開口端側に配置し、狭い側を長手中空部８６の閉端側に配置するようにすれば良い。この場合、円錐形ボディの外壁の傾きは、円錐形の内壁８８より直立させる、すなわち直流モータの軸に対する円錐形ボディの外壁の傾斜度を円錐形の内壁８８の傾斜度より小さくする。
【産業上の利用可能性】
【００４８】
電動歯ブラシは口内のヘルスケアに利用することができる。
【符号の説明】
【００４９】
１０．．．本体部分、２０．．．シャシー、４４．．．充電式電池、５０．．．長手の回路基板、５２ａ、５２ｂ．．．電極、６０．．．直流モータ、６２ａ、６２ｂ．．．ワイヤー、７０．．．振動シャフト、７２．．．延長シャフト、７３．．．偏心軸、７４．．．カラー部分、７５．．．弾力性を有するシャフト部分、７６．．．連結部分、７７．．．偏心部分、７８．．．シャフト部分、８０．．．ステム構造部、８１．．．下側支持部材、８２．．．パッキングリング、８３．．．ステム部材、８４．．．上側支持部材、８５．．．トップリング、８６．．．長手中空部、８７．．．穴部、８８．．．円錐形の内壁、８９．．．係止角、９０．．．ステップ部分、９２ａ、９２ｂ、９２ｃ、９２ｄ．．．リブ
【図１】
2016154753.tif 000003
【図２Ａ】
2016154753.tif 000004
【図２Ｂ】
2016154753.tif 000005
【図２Ｃ】
2016154753.tif 000006
【図２Ｄ】
2016154753.tif 000007
【図３Ａ】
2016154753.tif 000008
【図３Ｂ】
2016154753.tif 000009
【図３Ｃ】
2016154753.tif 000010
【図３Ｄ】
2016154753.tif 000011
【図４】
2016154753.tif 000012
【外国語明細書】
2016154753.tif 000013
2016154753.tif 000014
2016154753.tif 000015
2016154753.tif 000016
2016154753.tif 000017
2016154753.tif 000018
2016154753.tif 000019
2016154753.tif 000020
2016154753.tif 000021
2016154753.tif 000022
2016154753.tif 000023
2016154753.tif 000024
2016154753.tif 000025
2016154753.tif 000026
2016154753.tif 000027
2016154753.tif 000028
2016154753.tif 000029
2016154753.tif 000030
2016154753.tif 000031
2016154753.tif 000032
2016154753.tif 000033
2016154753.tif 000034
2016154753.tif 000035
2016154753.tif 000036
2016154753.tif 000037